(57)【要約】【課題】読取領域を指定させる画像読取処理を効率的に実施すること。【解決手段】画像処理装置１の読取装置２０は、読取センサ２４が移動する移動経路上の該読取センサ２４に対応する位置を表示する読取センサ位置表示手段を有し、読み取り処理の開始が指示されると、読取センサ２４を開始位置に移動させて、読取センサ２４による読み取り処理を開始し、読み取り処理の終了が指示されると、読取センサ２４の現在位置までの読み取り処理を終了し、読取センサ２４の開始位置から現在位置までの読み取り処理によって読み取られた原稿内容を原稿画像データ３１として処理することを特徴とする。【選択図】図１
2011041021.tif 000002
【特許請求の範囲】
【請求項１】
読取用原稿に記載されている原稿内容を原稿画像データとして読み取る画像処理装置であって、
前記画像処理装置は、制御部と、読取装置と、操作入力手段とを有し、
前記読取装置は、前記読取用原稿が配置されるフラットベッドと、前記フラットベッドに配置される前記読取用原稿の原稿内容を読み取る読取センサと、前記読取センサが移動する移動経路上の該読取センサに対応する位置を表示する読取センサ位置表示手段と、を有し、
前記操作入力手段は、前記読取センサによる読み取り処理を開始させるための開始指示手段と、前記読取センサによる読み取り処理を終了させるための終了指示手段とを有し、
前記制御部は、
前記開始指示手段から読み取り処理の開始が指示されると、前記読取センサを開始位置に移動させて、前記読取センサによる読み取り処理を開始し、
前記終了指示手段から読み取り処理の終了が指示されると、前記読取センサの現在位置までの読み取り処理を終了し、前記読取センサの開始位置から現在位置までの読み取り処理によって読み取られた原稿内容を前記原稿画像データとして処理することを特徴とする
画像処理装置。
【請求項２】
前記読取センサ位置表示手段は、前記読取センサの移動経路上の位置に設置され、前記読取センサを目視できる読取センサ確認窓を有することを特徴とする
請求項１に記載の画像処理装置。
【請求項３】
前記画像処理装置は、さらに、配置された前記読取用原稿を、前記フラットベッドと挟むフラットベッドカバーを有し、
前記読取センサ確認窓は、前記フラットベッドカバーとは重ならない位置に設置することを特徴とする
請求項２に記載の画像処理装置。
【請求項４】
前記読取センサ確認窓の近傍には、前記フラットベッドに配置される前記読取用原稿の原稿サイズを確認させるための目盛が記載されていることを特徴とする
請求項２または請求項３に記載の画像処理装置。
【請求項５】
前記操作入力手段は、前記開始指示手段と、前記終了指示手段とともに、前記読取センサ位置表示手段を表示し、
前記制御部は、前記読取センサの現在位置を前記読取センサ位置表示手段に表示することを特徴とする
請求項１に記載の画像処理装置。
【請求項６】
前記読取センサ位置表示手段は、前記読取センサの現在位置の表示の近傍に、前記読取用原稿の原稿サイズを確認させるための目盛を併せて表示することを特徴とする
請求項５に記載の画像処理装置。
【請求項７】
前記読取センサ位置表示手段は、前記読取センサの現在位置の表示の近傍に、現在位置までの読み取り処理の結果である前記読取用原稿の画像データを併せて表示することを特徴とする
請求項５または請求項６に記載の画像処理装置。
【請求項８】
前記画像処理装置は、さらに、原稿サイズ変更部を有し、
前記原稿サイズ変更部は、前記読取装置に配置された前記読取用原稿の原稿サイズから、前記読取装置が読み取った開始位置から現在位置までの原稿内容が収まる原稿サイズへと、前記原稿画像データの原稿サイズを変更することを特徴とする
請求項１ないし請求項７のいずれか１項に記載の画像処理装置。
【請求項９】
前記画像処理装置は、さらに、複数枚の前記読取用原稿を設置可能なＡＤＦ（Auto Document Feeder）を搭載することを特徴とする
請求項１ないし請求項８のいずれか１項に記載の画像処理装置。
【請求項１０】
読取用原稿に記載されている原稿内容を原稿画像データとして読み取る画像処理装置による画像処理方法であって、
前記画像処理装置は、制御部と、読取装置と、操作入力手段とを有し、
前記読取装置は、前記読取用原稿が配置されるフラットベッドと、前記フラットベッドに配置される前記読取用原稿の原稿内容を読み取る読取センサと、前記読取センサが移動する移動経路上の該読取センサに対応する位置を表示する読取センサ位置表示手段と、を有し、
前記操作入力手段は、前記読取センサによる読み取り処理を開始させるための開始指示手段と、前記読取センサによる読み取り処理を終了させるための終了指示手段とを有し、
前記制御部は、
前記開始指示手段から読み取り処理の開始が指示されると、前記読取センサを開始位置に移動させて、前記読取センサによる読み取り処理を開始し、
前記終了指示手段から読み取り処理の終了が指示されると、前記読取センサの現在位置までの読み取り処理を終了し、前記読取センサの開始位置から現在位置までの読み取り処理によって読み取られた原稿内容を前記原稿画像データとして処理することを特徴とする
画像処理方法。
【請求項１１】
前記読取センサ位置表示手段は、前記読取センサの移動経路上の位置に設置され、前記読取センサを目視できる読取センサ確認窓を有することを特徴とする
請求項１０に記載の画像処理方法。
【請求項１２】
前記画像処理装置は、さらに、配置された前記読取用原稿を、前記フラットベッドと挟むフラットベッドカバーを有し、
前記読取センサ確認窓は、前記フラットベッドカバーとは重ならない位置に設置することを特徴とする
請求項１１に記載の画像処理方法。
【請求項１３】
前記操作入力手段は、前記開始指示手段と、前記終了指示手段とともに、前記読取センサ位置表示手段を表示し、
前記制御部は、前記読取センサの現在位置を前記読取センサ位置表示手段に表示することを特徴とする
請求項１０に記載の画像処理方法。
【請求項１４】
請求項１０ないし請求項１３のいずれか１項に記載の画像処理方法を、コンピュータである前記画像処理装置に実行させるための画像処理プログラム。
【請求項１５】
請求項１ないし請求項９のいずれか１項に記載の画像処理装置と、
前記原稿画像データを印刷用紙に印刷する印刷手段、または、前記原稿画像データをネットワークに送信するＦＡＸ手段のうちの少なくとも１つの手段と、を備えることを特徴とする
複合機。
【発明の詳細な説明】
【技術分野】
【０００１】
本発明は、画像処理方法、画像処理プログラム、画像処理装置、および、複合機の技術に関する。
【背景技術】
【０００２】
スキャナ機などの画像読取を実施する画像処理装置（複合機）は、読取用原稿を読取センサで読み取って、画像データを取得する。ここで、読取用原稿の原稿面には、実際に原稿内容が記載されている記載領域が、読取用原稿の原稿サイズを目一杯使用していないケース（つまり、原稿サイズの余白がたくさんあるケース）があるため、読取用原稿の原稿サイズ分を読み取ると、余白分の画像データが無駄になってしまう。
【０００３】
そこで、特許文献１では、読取用原稿を設置した後、利用者に移動ボタンを押下させることにより、特定部材（露光ランプ）を実際に動かして、読取用原稿の読取領域を入力させるシステムが、提案されている。このシステムによれば、読取サイズとして効率的なサイズを明示的に指定させることで、効率的なデータ量の画像データを生成することができる。
【先行技術文献】
【特許文献】
【０００４】
【特許文献１】特開２００６−０６０５１０号公報
【発明の概要】
【発明が解決しようとする課題】
【０００５】
しかしながら、前記した特許文献１のシステムでは、読取領域の位置指定処理を行った後、読取領域の読み取り処理を実行するため、非効率であった。
【０００６】
つまり、読取領域の位置指定処理と、読取領域の読み取り処理とが完全に独立しているため、位置指定用の特定部材が開始位置から終了位置まで移動する移動期間と、読み取り処理用の読取センサが開始位置から終了位置まで移動する移動期間とを両方設ける必要があり、この両期間の長さが、読み取り処理を効率的に実行することを妨げていた。
【０００７】
そこで、本発明は、前記した問題を解決し、読取領域を指定させる画像読取処理を効率的に実施するための画像処理方法、画像処理プログラム、画像処理装置、および、複合機を提供することを、主な目的とする。
【課題を解決するための手段】
【０００８】
前記目的を達成するために、本発明は、読取用原稿に記載されている原稿内容を原稿画像データとして読み取る画像処理装置であって、
前記画像処理装置が、制御部と、読取装置と、操作入力手段とを有し、
前記読取装置が、前記読取用原稿が配置されるフラットベッドと、前記フラットベッドに配置される前記読取用原稿の原稿内容を読み取る読取センサと、前記読取センサが移動する移動経路上の該読取センサに対応する位置を表示する読取センサ位置表示手段と、を有し、
前記操作入力手段が、前記読取センサによる読み取り処理を開始させるための開始指示手段と、前記読取センサによる読み取り処理を終了させるための終了指示手段とを有し、
前記制御部が、
前記開始指示手段から読み取り処理の開始が指示されると、前記読取センサを開始位置に移動させて、前記読取センサによる読み取り処理を開始し、
前記終了指示手段から読み取り処理の終了が指示されると、前記読取センサの現在位置までの読み取り処理を終了し、前記読取センサの開始位置から現在位置までの読み取り処理によって読み取られた原稿内容を前記原稿画像データとして処理することを特徴とする。
その他の手段は、後記する。
【発明の効果】
【０００９】
本発明によれば、読取領域を指定させる画像読取処理を効率的に実施することができる。
【図面の簡単な説明】
【００１０】
【図１】本発明の一実施形態に関する画像処理装置を示す構成図である。
【図２】本発明の一実施形態に関する画像処理装置に入力される読取用原稿、および、画像処理装置の操作パネルを示す構成図である。
【図３】本発明の一実施形態に関するタッチパネルの表示内容を示す画面図である。
【図４】本発明の一実施形態に関する画像処理装置の読取装置を真上から見たときを示す構成図である。
【図５】本発明の一実施形態に関するタッチパネルの表示内容を示す画面図である。
【図６】本発明の一実施形態に関するジョブ管理部が実行する、画像処理を示すフローチャートである。
【発明を実施するための形態】
【００１１】
以下、本発明の一実施形態を、図面を参照して詳細に説明する。
【００１２】
図１は、画像形成装置（複合機）としての画像処理装置１を示す構成図である。画像処理装置１は、読取装置２０と、印刷装置４１と、ＦＡＸ装置４３と、操作パネル１０とを備え、スキャナ機、コピー機、および、ファクシミリ機の各機能を兼ね備える複合機（ＭＦＰ：Multi Function Peripheral）として構成する。
画像処理装置１は、ＣＰＵ９１と、ＲＡＭ９２と、ＲＯＭ９３と、ネットワークインタフェース９９とを備えるコンピュータである。
ＣＰＵ９１は、ＲＡＭ９２内のプログラムを実行することにより、画像処理装置１全体の動作を制御する。
ＲＡＭ９２は、ＲＯＭ９３から読み込まれるプログラムおよびそのプログラムの処理対象であるデータを格納する。
ＲＯＭ９３は、ＣＰＵ９１により実行されるプログラムが格納される。
ネットワークインタフェース９９は、ネットワーク９を介してデータを送受信するためのインタフェースである。
【００１３】
操作パネル１０は、タッチパネル１２と、操作指示ボタン群１３とから構成され、ユーザからの操作入力を受け付ける。
読取装置２０は、光学的読取技術により、指定された読取用原稿２（読取媒体）の読取範囲に対して、画像読取処理を実施し、その読取結果を原稿画像データ３１へと書き出す。よって、画像処理装置１は、操作パネル１０と読取装置２０との組み合わせにより、スキャナ機としての機能を実現する。
【００１４】
印刷装置４１は、画像形成部として機能し、電子写真方式などの印刷技術により、原稿画像データ３１を印刷用紙３（印刷媒体、画像形成用紙）に印刷出力する。よって、画像処理装置１は、操作パネル１０、読取装置２０、および、印刷装置４１の組み合わせにより、コピー機としての機能を実現する。さらに、画像処理装置１は、読取装置２０の代わりにネットワークインタフェース９９を介して他のコンピュータから受信した原稿画像データ３１を、印刷装置４１が印刷用紙３として印刷出力することで、プリンタ機としての機能を実現する。
【００１５】
ＦＡＸ装置４３は、電話回線などのネットワーク９を介して、ＦＡＸ用原稿データ４の送受信を行う。つまり、ＦＡＸ装置４３は、送信時には、原稿画像データ３１をＦＡＸ用原稿データ４として送信する。ＦＡＸ装置４３は、受信時には、受信したＦＡＸ用原稿データ４を原稿画像データ３１に記録するとともに、印刷装置４１を介して、記録した原稿画像データ３１を印刷用紙３として印刷出力する。よって、画像処理装置１は、操作パネル１０、読取装置２０、印刷装置４１、および、ＦＡＸ装置４３の組み合わせにより、ファクシミリ機としての機能を実現する。
以上説明した画像処理装置１は、スキャナ機、コピー機、ファクシミリ機、および、プリンタ機の各機能を兼ね備える複合機として構成したが、これらの機器の内の少なくとも１つの機能を備えることとしてもよい。
【００１６】
画像処理装置１のＲＡＭ９２には、原稿画像データ３１に加え、各処理部（ジョブ管理部９１ａ、操作パネル制御部１１、読取制御部２１、印刷制御部４２、ＦＡＸ制御部４４、原稿サイズ変更部３２）を実現するためのプログラムが格納されている。
ジョブ管理部９１ａは、後記で説明する各制御部に指示を出すことにより、複合機の各機能（スキャナ機、コピー機、ファクシミリ機、および、プリンタ機）を実現する。
操作パネル制御部１１は、操作パネル１０を制御する。
読取制御部２１は、読取装置２０を制御する。
印刷制御部４２は、印刷装置４１を制御する。
ＦＡＸ制御部４４は、ＦＡＸ装置４３を制御する。
【００１７】
原稿サイズ変更部３２は、読取装置２０が読み取った原稿画像データ３１の読取範囲に基づいて定型原稿サイズを変更する（詳細は、図２（ａ）の説明で後記する）。これにより、利用者があらかじめ画像処理装置の設定値を変更することなく、原稿サイズを修正することができる。
【００１８】
図２は、画像処理装置１に入力される読取用原稿２（図２（ａ））、および、画像処理装置１の操作パネル１０（図２（ｂ））を示す構成図である。
【００１９】
まず、図２（ａ）を参照して、本明細書で使用する方向についての用語を定義する。
「縦方向（上下方向）」とは、読取用原稿２における読取装置２０の読取処理の主走査方向である。図２（ａ）においては、上方向にアルファベット（Ｊ，Ｓ，Ｚ）が記載されており、下方向にアルファベット（Ａ，Ｋ，Ｔ）が記載されている。読取装置２０は、読取用原稿２における縦方向の読取範囲（上端位置および下端位置）を、読取装置２０の読取センサ２４（図４で後記）が有する直線上の画像読み取り用撮像素子（ＣＣＤ：Charge Coupled Device）から取得する。
【００２０】
「横方向（左右方向）」とは、読取用原稿２における読取装置２０の読取処理の副走査方向である。図２（ａ）においては、左方向にアルファベットの行（Ａ〜Ｊ）が記載されており、右方向にアルファベットの行（Ｔ〜Ｚ）が記載されている。読取装置２０は、読取用原稿２における横方向の読取範囲の右端位置を、読取センサ２４が右方向に移動しているときに、ＳＴＯＰボタン６２（図２（ｂ））の押下を検知し、その検知時点での読取センサ２４の横位置から取得する。なお、読取用原稿２における左端位置の読取範囲は、読取用原稿２における最左端位置である。
【００２１】
なお、図２（ａ）で示す読取用原稿２は、原稿サイズとしてはＡ３サイズであるものの、読み取るべき原稿記載領域（アルファベットのＡ〜Ｚが記載されている領域）は、その左半分のＡ４サイズ分しか存在しない。そこで、後記する原稿サイズ変更部３２は、読取装置２０が読み取ったＡ３サイズの読取用原稿２から、原稿記載領域がＡ４サイズと判断し、その結果としてＡ４サイズ分（アルファベットのＡ〜Ｚが記載されている部分）の原稿画像データ３１としてＲＡＭ９２に記録する。
具体的には、原稿サイズ変更部３２は、以下の手順（１）〜（３）により、原稿サイズを変更する。
（１）前記したように、読取用原稿２の読取範囲（上端位置、下端位置、左端位置、右端位置）を取得する。
（２）あらかじめＲＯＭ９３に記録されている１つ以上の定型原稿サイズ（Ａ５，Ｂ５，Ａ４，Ｂ４，Ａ３など）の読取範囲データを取得し、読取用原稿２の読取範囲がそれぞれの定型原稿サイズ内に収まっているか否かを判定する。
（３）前記（２）で判定した結果、読取用原稿２の読取範囲が収まっている定型原稿サイズのうち、最小の定型原稿サイズを、出力する原稿サイズとして決定する。
【００２２】
図２（ｂ）は、操作パネル１０の構成を示す図である。
操作パネル１０は、中央のタッチパネル１２と、周辺の操作指示ボタン群１３とで構成される。なお、操作指示ボタン群１３は、機械的な（物理的な）ボタンとしてもよいし、タッチパネル１２と同様に、表示部とタッチセンサとを備える論理的なボタンとしてもよい。
【００２３】
操作指示ボタン群１３は、ＳＴＡＲＴボタン６１と、ＳＴＯＰボタン６２と、ＣＯＰＹボタン６３と、ＳＣＡＮボタン６４と、ＦＡＸボタン６５と、ＰＲＩＮＴボタン６６とから構成される。
まず、利用者は、読取用原稿２を読取装置２０にセットする。
次に、利用者は、コピー機のモード（ＣＯＰＹボタン６３）、スキャナ機のモード（ＳＣＡＮボタン６４）、ファクシミリ機のモード（ＦＡＸボタン６５）、プリンタ機のモード（ＰＲＩＮＴボタン６６）から、所望のモードのボタンを押下することで、動作モードを設定する。
【００２４】
そして、利用者は、動作モードが、コピー機、スキャナ機、および、ファクシミリ機のときには、読取装置２０の読み取り処理を開始させるためのＳＴＡＲＴボタン６１を押下した後、読取用原稿２の読取範囲の右端まで読み取り処理が行われたタイミングでＳＴＯＰボタン６２を押下することで読み取り処理を終了する。
これにより、読取装置２０は、読取用原稿２の読取範囲分の原稿画像データ３１を生成する。その後、設定された動作モードに従って、画像処理装置１は、原稿画像データ３１のファイル保存（スキャナ機のモード）、原稿画像データ３１の紙面印刷（コピー機、プリンタ機のモード）、または、原稿画像データ３１のデータ送信（ファクシミリ機のモード）を実行する。
【００２５】
図３は、タッチパネル１２に表示される画面図である。
図３（ａ）は、図２（ｂ）のＣＯＰＹボタン６３で設定される、コピー機のモードにおける表示画面を示す。
ステータス表示領域７１は、ステータスを表示する領域であり、コピーが可能であることを示すメッセージである「コピーできます」が表示されている。
パラメータ設定ボタン７２、原稿サイズ設定ボタン７３、トレイ設定ボタン７４、拡大縮小設定ボタン７５、両面印刷設定ボタン７６、その他の設定ボタン７７は、コピー処理に参照される各パラメータを設定する際に押下するボタンであり、各ボタンには現在の設定値が表示されている。例えば、原稿サイズ設定ボタン７３には、原稿サイズの現在の設定値がＡ３であることが表示されている。
【００２６】
図３（ｂ）は、図２（ｂ）のＦＡＸボタン６５で設定される、ファクシミリ機のモードにおける表示画面を示す。
ステータス表示領域８１はステータスを表示する領域であり、ＦＡＸ通信が可能であることを示すメッセージである「通信できます」が表示されている。
パラメータ設定ボタン８２、原稿サイズ設定ボタン８３、宛先設定ボタン８４、リダイヤルボタン８５、短縮ボタン８６、その他の設定ボタン８７は、ＦＡＸ処理に参照される各パラメータを設定する際に押下するボタンであり、各ボタンには現在の設定値が表示されている。例えば、原稿サイズ設定ボタン８３には、原稿サイズの現在の設定値がＡ３であることが表示されている。
【００２７】
図４は、画像処理装置１の読取装置２０を真上から見たときの構成図である。読取装置２０は、フラットベッド２２と、フラットベッドカバー２３と、読取センサ２４と、読取センサ確認窓２５と、を有する。
【００２８】
図４（ａ）は、フラットベッド２２上のフラットベッドカバー２３が開いた状態である。フラットベッドカバー２３は、フラットベッド２２のカバーである。
フラットベッド２２は、読み取る画像がある面を下にして、読取用原稿２が置かれる領域である。フラットベッド２２は、読取用原稿２を置くガラス面であり、読取装置２０の機械内部側に存在する読取センサ２４が透過して見えるようになっているとともに、読取センサ２４の読取光が読取用原稿２に当たるようになっている。
読取センサ確認窓２５は、読取センサ２４の位置を確認するための窓である。読取センサ確認窓２５は、フラットベッド２２と同じように、透過型のガラス面である。フラットベッド２２の横方向（左端位置および右端位置）と、読取センサ確認窓２５の横方向とが一致するように配置されている。さらに、読取センサ確認窓２５には、読取位置に対応する原稿サイズを示す目盛（Ａ５など）が付けられている。
【００２９】
読取センサ２４は、光学的読取技術により、読取用原稿２の記載内容を画像データとして読み取るセンサである。読取センサ２４は、縦方向がフラットベッド２２から読取センサ確認窓２５までの範囲をカバーするような画像読み取り用撮像素子として構成されている。
読取センサ２４は、横方向に移動することで、読み取り処理を実施する。横方向の移動について、移動位置の左端がフラットベッド２２の左端であり、移動位置の右端がフラットベッド２２の右端、または、ＳＴＯＰボタン６２が押下されるまでの位置である。
つまり、読取センサ２４の現在の位置は、読取センサ確認窓２５のガラス面を透過して、見えるようになっている。
【００３０】
図４（ｂ）は、フラットベッド２２上のフラットベッドカバー２３が閉じた状態である。利用者は、フラットベッド２２上に読取用原稿２を置いてから、フラットベッドカバー２３を閉じる。これにより、読取用原稿２が、フラットベッド２２とフラットベッドカバー２３とで挟まれた状態になる。
フラットベッドカバー２３が閉じられると、フラットベッド２２の領域がすべてフラットベッドカバー２３で覆われてしまうため、読取センサ２４の現在の位置を、フラットベッド２２のガラス面を介して確認することができなくなる。しかし、読取センサ確認窓２５は、フラットベッドカバー２３では覆われないため、読取センサ確認窓２５をのぞき込むことで、読取センサ２４の現在の位置を確認することができる。
または、フラットベッドカバー２３が読取センサ確認窓２５を覆う場合でも、その覆う領域部分のフラットベッドカバー２３について、透明なガラスなどで構成することにより、フラットベッドカバー２３ごしに読取センサ確認窓２５を目視で確認させることができる。
【００３１】
図５は、タッチパネル１２に表示される画面図である。この表示例では、図４で示した画像処理装置１の読取装置２０を真上から見たときの構成図を、そのまま表示内容としている。
【００３２】
図５（ａ）は、タッチパネル１２の第１表示例である。この第１表示例では、読取センサ２４の位置を示す読取センサポインタ２４ｂと、読取センサ確認窓２５の位置を示す読取センサ確認窓表示欄２５ｂとが、タッチパネル１２内に表示されている。つまり、図４に示す読取センサ確認窓２５は、物理的に読取センサ２４の現在の位置を確認することができるのに対し、図５（ａ）に示す読取センサ確認窓表示欄２５ｂは、論理的に読取センサポインタ２４ｂが示す読取センサ２４の現在の位置を確認することができる。操作パネル制御部１１は、読取制御部２１から読取センサ２４の現在の位置を受信して、その位置を示す読取センサポインタ２４ｂを読取センサ確認窓表示欄２５ｂに表示する。なお、読取センサ２４の現在の位置は、電子的なセンサまたは機械的なセンサを用いて取得される。
【００３３】
図５（ｂ）は、タッチパネル１２の第２表示例である。この第２表示例は、第１表示例と比較すると、フラットベッド２２の位置に読取結果表示欄２３ｂを設けている。操作パネル制御部１１は、読取制御部２１から読取センサ２４の読取結果を受信して、その画像データを読取結果表示欄２３ｂに表示する。利用者にとって、読取センサ確認窓表示欄２５ｂの読取センサポインタ２４ｂと、読取結果表示欄２３ｂの表示内容とを見比べることにより、第１表示例よりもさらに正確に読取領域の停止位置（右端位置）を指定することが容易になる。
【００３４】
図６は、ジョブ管理部９１ａが実行する、画像処理装置１の画像処理を示すフローチャートである。このフローチャートは、読取用原稿２が読取装置２０に配置され、動作モードの指定（図２（ｂ）で説明）が行われ、ＳＴＡＲＴボタン６１が押下されたときを契機として、実行される。
【００３５】
Ｓ１１として、ジョブ管理部９１ａは、読取制御部２１に対して、読取用原稿２の読み取り処理を開始するように指示する。読取制御部２１は、指示を受けて読取装置２０を動作させ、読取センサ２４を初期位置（左端）に移動させる。
Ｓ１２として、読取制御部２１は、読取センサ２４を右方向に１ライン分移動させることで、１ライン分の画像データを読み取る。なお、このＳ１２での読取センサ２４の移動は、読取領域の位置指定の目的と、その読取領域の画像読み取りの目的とを兼ねている。そのため、特許文献１の方式に比べ、原稿１枚あたりの総処理時間を削減することができ、効率的である。
Ｓ１３として、操作パネル制御部１１は、ＳＴＯＰボタン６２が押下されたか否かを判定する。Ｓ１３でＹｅｓならＳ１５へ進み、Ｓ１３でＮｏならＳ１４へ進む。なお、利用者は、ＳＴＯＰボタン６２を押下する手がかりとして、読取センサ確認窓２５から読取センサ２４が移動する様子を目視で確認してもよいし（図４参照）、タッチパネル１２に表示されている読取センサ確認窓表示欄２５ｂ内の読取センサポインタ２４ｂを目視で確認してもよい（図５参照）。
【００３６】
Ｓ１４として、読取制御部２１は、読取センサ２４があらかじめ設定された原稿サイズ分の位置まで到達したか否かを判定する。Ｓ１４でＹｅｓならＳ１５へ進み、Ｓ１４でＮｏならＳ１２へ戻る。あらかじめ設定された原稿サイズとは、例えば、図２の読取用原稿２では、Ａ３サイズである。
Ｓ１５として、読取制御部２１は、読取センサ２４の現在の位置（Ｓ１３のＳＴＯＰボタン６２押下位置、または、Ｓ１４のあらかじめ設定された原稿サイズ分の位置）を読取領域の右端として、Ｓ１１〜Ｓ１４の処理で読み取った画像データを、原稿画像データ３１として保存する。
【００３７】
Ｓ２１として、原稿サイズ変更部３２は、原稿画像データ３１の原稿サイズを小さいサイズへと変更することで、データ量を圧縮する。例えば、図２の読取用原稿２では、Ａ４サイズ分の読取領域で足りるので、原稿サイズをＡ３からＡ４へと変更する。なお、このデータ量の圧縮処理は、省略してもよい。
Ｓ２２として、ジョブ管理部９１ａは、指定された動作モードに従って、原稿画像データ３１の出力処理を各制御部に指示する。出力処理とは、例えば、画面表示処理、印刷処理、および、データ転送処理などである。出力処理としてデータ転送処理を行うときには、ＦＡＸ制御部４４は、指示に従って原稿画像データ３１をＦＡＸ装置４３からデータ送信する。
【００３８】
または、印刷制御部４２は、指示に従って原稿画像データ３１を印刷装置４１から印刷する。例えば、図２の読取用原稿２では、原稿サイズはＡ３に設定されており、拡大／縮小が１００％に設定されているため、印刷装置４１はＡ３用紙に対して印刷を実施する。なお、原稿サイズがあらかじめＡ３サイズに設定されている例を説明したが、他のサイズに設定されている場合や、原稿サイズを自動検出する場合にも適用可能である。
【００３９】
以上、図６で説明した画像処理装置１の画像処理は、読取用原稿２が１枚である例を説明した。一方、画像処理装置１にＡＤＦ（Auto Document Feeder）を搭載することで、複数枚の読み取り処理が可能となる。このときは、Ｓ１１〜Ｓ１５の処理を、原稿の枚数分だけ繰り返せばよい。
【００４０】
以上説明した本実施形態によれば、画像処理装置１の読取センサ２４の移動工程が、読取領域の位置指定の目的と、その読取領域の画像読み取りの目的とを兼ねているため、特許文献１の方式に比べ、原稿１枚あたりの総処理時間を削減することができ、効率的である。
ここで、画像処理装置１は、読取領域の位置指定（特に、ＳＴＯＰボタン６２の押下のタイミング）をユーザにとって容易に実施させるために、読取センサ２４の現在位置を確認させるための読取センサ位置表示手段を有する。その読取センサ位置表示手段は、読取センサ確認窓２５および読取センサ確認窓表示欄２５ｂのうちの少なくとも１つとして、構成される。
そして、画像処理装置１の原稿サイズ変更部３２は、読取装置２０が読み取った原稿画像データ３１の読取範囲に基づいて定型原稿サイズを変更するため、利用者があらかじめ画像処理装置の設定値を変更することなく、原稿サイズを修正することができるとともに、原稿画像データ３１内の空白面積の比率が少なくなるため、原稿画像データ３１のデータ量を圧縮することができる。
さらに、画像処理装置１にＡＤＦを搭載することで、複数枚の原稿を連続して読み取り処理するときに、１枚１枚の読み取り処理にかかる期間が短縮化されており、かつ、フラットベッドカバー２３を原稿１枚ごとに開け閉めする必要がないため、読み取りにかかる総期間を短縮化することができる。
【符号の説明】
【００４１】
１      画像処理装置（画像形成装置、複合機）
２      読取用原稿
３      印刷用紙
４      ＦＡＸ用原稿データ
９      ネットワーク
１０    操作パネル
１１    操作パネル制御部
１２    タッチパネル
１３    操作指示ボタン群
２０    読取装置
２１    読取制御部
２２    フラットベッド
２３    フラットベッドカバー
２３ｂ  読取結果表示欄
２４    読取センサ
２４ｂ  読取センサポインタ
２５    読取センサ確認窓（読取センサ位置表示手段）
２５ｂ  読取センサ確認窓表示欄（読取センサ位置表示手段）
３１    原稿画像データ
３２    原稿サイズ変更部
４１    印刷装置
４２    印刷制御部
４３    ＦＡＸ装置
４４    ＦＡＸ制御部
６１    ＳＴＡＲＴボタン
６２    ＳＴＯＰボタン
６３    ＣＯＰＹボタン
６４    ＳＣＡＮボタン
６５    ＦＡＸボタン
６６    ＰＲＩＮＴボタン
９１    ＣＰＵ
９１ａ  ジョブ管理部
９２    ＲＡＭ
９３    ＲＯＭ
９９    ネットワークインタフェース
【図１】
2011041021.tif 000003
【図２】
2011041021.tif 000004
【図３】
2011041021.tif 000005
【図４】
2011041021.tif 000006
【図５】
2011041021.tif 000007
【図６】
2011041021.tif 000008